(57)【要約】【課題】便器上に設置される温水洗浄便座などの便器装置を上水道等の給水源に接続する分岐栓に関しては、すっきりとした意匠性と低コストの実現の課題があった。【解決手段】温水洗浄便座等の便器装置を給水源に接続するための便座装置接続部１４を備えた便器装置用の分岐栓１０２であって、前便座装置接続部１４を止水する為の止水キャップ１０を備え、前記止水キャップ１０は前記便器装置接続部１４のネジに対応したネジ部を備え、前記分岐栓１０２に対して着脱可能であることを特徴とする便器装置用の分岐栓。【選択図】  図１
2005003058.tif 000002
【特許請求の範囲】
【請求項１】
温水洗浄便座等の便器装置を給水源に接続するための便座装置接続部を備えた便器装置用の分岐栓であって、前便座装置接続部を止水する為の止水キャップを備え、前記止水キャップは前記便器装置接続部のネジに対応したネジ部を備え、前記分岐栓に対して着脱可能であることを特徴とする便器装置用の分岐栓。
【請求項２】
請求項１記載の前記分岐栓において、前記止水キャップは前記分岐栓からの脱落防止手段を備えていることを特徴とする便器装置用の分岐栓。
【請求項３】
請求項２記載の前記分岐栓において、前記脱落防止手段と止水キャップとは、回動自在に接続されていることを特徴とする便器装置用の分岐栓。
【請求項４】
請求項１乃至請求項３のいずれか１項に記載の前記分岐栓において、前記止水キャップは外周にローレットや蝶ネジ形状等の把持手段を備えたことを特徴とした便器装置用の分岐栓。
【請求項５】
請求項１乃至請求項４のいずれか１項に記載の前記分岐栓において、前記止水キャップは樹脂製であることを特徴とする便器装置用の分岐栓。
【発明の詳細な説明】
【０００１】
【発明の属する技術分野】
本発明は、便器上に設置される温水洗浄便座などの便器装置を上水道等の給水源に接続する便器装置用の分岐栓に関する。
【０００２】
【従来の技術】
従来より、温水洗浄便座等の便器装置を施工する際は、図３に示しているようにロータンク１００（便器洗浄水タンク）への給水通路上に分岐栓１０２を止水栓１０４に連ねて取り付け、ロータンク１００に導かれる水の一部を分岐させて温水洗浄便座などの便器装置１０６用に取り出すことが一般に行われている。
【０００３】
ここで止水栓１０４はその通路内の水の流れを遮断する為の止水弁体１０８を備えており、また分岐栓１０２は主に便器装置１０６が故障した場合等に使用する目的で、分岐通路内の水の流れを遮断する為の止水弁体１１０を備えている。しかし、この場合は止水栓１０４と分岐栓１０２が連なって配置されることによって、止水用の機構を有する突起部が連立することから、この部位の外観が煩雑な感じになり、さらに分岐栓１０２が複雑形状である為、コストが高くなる要因でもあった。
【０００４】
このような問題を解決する為にいくつかの提案がなされており、例えば、前記の止水栓１０４と分岐栓１０２の機能を共通のハウジング内に収め、単一の分岐栓を用いるだけで事足りることを可能としたものが報告されている。（例えば、特許文献１参照）
【０００５】
【特許文献１】
実開平５−７９１４５号公報（第２図，第３図）
【０００６】
【発明が解決しようとする課題】
しかしながら、この場合は、便器と便器装置を同時に設置する際に、或いは温水洗浄装置付便器を設置する際は効果が大きいが、既存の便器に後から温水洗浄装置等の便器装置１０６を設置する際は、もともと設置されたいた止水栓１０４を利用できず、かえって複雑な機構を有した単一の分岐栓を用いなくてはならず、コストが高くなることがあった。このように、便器上に設置される温水洗浄便座などの便器装置を上水道等の給水源に接続する分岐栓に関しては、すっきりとした意匠性と低コストの実現という課題があった。
【０００７】
【課題を解決する為の手段及び作用・効果】
本発明の便座装置用の分岐栓はこのような課題に鑑みてなされたもので、請求項１の記載の発明では、便器装置接続側である分岐側の流出口を止水する止水キャップを備え、分岐栓本体とは別体に構成される。これにより、便器装置接続側を止水するときのみ便器装置の接続部に対応したネジ形状を持つ止水キャップで栓をすることにより、分岐栓は単純な形状とすることができ、意匠性が向上し、複雑な止水手段を用いないことによってコストも下げることができる。
【０００８】
請求項２の記載の発明では、請求項１記載の発明に加え、前記止水キャップは分岐栓本体と紐などの保持手段によって縛るなどして、容易に脱落しないように備え付けられていることが望ましい。これにより、温水洗浄便座の施工時に分岐栓に付属していた止水キャップを紛失してしまう恐れがない。
【０００９】
請求項３の記載の発明では、請求項１又は請求項２記載の発明に加え、前記止水キャップは前記止水キャップの保持手段に対して回動自在に接合されていることが望ましい。これにより、止水キャップの施工時に紐などの保持手段がねじれてしまうことがない。
【００１０】
請求項４の記載の発明では、請求項１乃至請求項３記載のいずれか記載の発明に加え、前記止水キャップは自身にローレットや蝶ネジ形状を有しても良い。これにより工具を用いることなく止水キャップが施工でき、作業性が向上する。
【００１１】
請求項５の記載の発明では、請求項１乃至請求項４記載のいずれか記載の発明に加え、前記止水キャップは樹脂製であってもよい。これにより、止水キャップが錆びることがなくなり、また材料費が安い為、安価にて提供することができる。
【００１２】
【発明の実施の形態】
続いて、本発明の実施例を添付した図面を参照しつつ説明する。
図１は本発明の分岐栓の断面図、図２は同分岐栓の斜視図、図３は本発明の背景説明のための説明図である。
【００１３】
図１に示すように、本発明の分岐栓１０２は、止水栓１０４側との接続部１５とロータンク側接続部１１及び便座装置接続部１４を有する三又構造になっており、便座装置の故障時等に便座装置接続部１４を止水する為の樹脂製の止水キャップ１０を備えている。止水キャップ１０は便器装置接続部１４のネジに対応したネジ部を持ち、便器装置接続部１４との間に設けたパッキン１２を挟み込みことにより、水密的に保持することができる。止水キャップ１０は分岐栓１０２の本体とは別体に構成され、止水キャップ１０の非使用時は分岐栓１０２から完全に取外せることが可能である。また、止水キャップ１０は施工時に工具を使うことなく作業できるよう、蝶ネジ形状１６を有している。
【００１４】
図２に示すように、本発明の分岐栓１０２は、便座装置接続部１４が通水状態にあって、止水キャップ１０を用いないときおいても、保持手段１３によって止水キャップ１０が脱落しないよう配慮されている。この保持手段１３は柔軟に変形が可能なＰＰなどの樹脂製であり、便座装置の接続管２２を便座装置接続部１４に接続するにあたり、邪魔にならない。また、保持手段１３の分岐栓固定部２１は分岐栓１０２本体に軽い力で圧入可能な取り合いとなっており、便座装置の使用者が必要でないと判断したときなどにおいて、容易に取り外しが可能となっている。さらに止水キャップ１０の保持手段との固定部１５はスナップフィットによる固定となっており、回転可能となっている。これにより、止水キャップ１０を分岐栓１０２に締めこむ時、又は緩めて外すときにおいても保持手段１３がねじれることがない。
このように、構造が簡素で、かつ取り扱いも容易な止水キャップ１０は従来からの分岐栓１０２内の止水機構と置き換えることができる。
【図面の簡単な説明】
【図１】本発明の一実施例である分岐栓の断面図である。
【図２】同分岐栓の斜視図である。
【図３】本発明の背景説明のための従来技術の説明図である。
【符号の説明】
１０：止水キャップ、１１：ロータンク接続部、１２：パッキン、１３：保持手段、１４：便座装置接続部、１５：止水栓側接続部、１６：蝶ネジ形状、２１：保持手段の分岐栓固定部、２２：便座装置の接続管、１００：ロータンク、１０２：分岐栓、１０４：止水栓１０６：便座装置、１０８：止水弁体、１１０：止水弁体
【図１】
2005003058.tif 000003
【図２】
2005003058.tif 000004
【図３】
2005003058.tif 000005